(57)【特許請求の範囲】
【請求項１】
システムキッチンに設けられた、前面側が開口し、上方、下方および側方が囲まれた略箱型のキャビネット内に設置される食器洗浄機であって、
食器を収容し洗浄する、前方に開口する本体と、
上方に開口を有し、前方に引き出される洗浄槽の前面に取付けられた前記本体の開口を閉塞する前扉と、
前記本体の底面に取り付けられ、該本体を支える複数の脚と、
前記複数の脚の内、前記本体の前面側に配置された前脚の底面には、前記食器洗浄機の設置面である前記キャビネットの底板に対して略平行な平面部が形成され、前記食器洗浄機が前記システムキッチンの前記キャビネット内に設置された状態において、該平面部に着脱可能に取り付けられた、前記システムキッチンの収納部の表面材と、前記前扉との上下方向の位置ずれを解消するために前記本体の高さを調整する板状のスペーサーと、を備え、
前記キャビネットの前記底板の前部に設けられた固定板金と、前記本体の底面に設けられた本体固定板金とが当接する位置まで前記キャビネットの前記前面側開口から前記本体を挿入し、
前記前脚の底面に前記スペーサーが取付けられた状態、かつ前記本体が前記キャビネットの前記底板の上面に載せられた状態で、
当接した前記固定板金と前記本体固定板金とをネジで固定して前記キャビネットの前記底板に固定する食器洗浄機。
【請求項２】
前記スペーサーは、上面に接着材料を有し、該接着材料によって前記平面部に取り付けられていることを特徴とする請求項１に記載の食器洗浄機。
【請求項３】
前記スペーサーは、ネジ留めによって前記平面部に取り付けられていることを特徴とする請求項１又は請求項２に記載の食器洗浄機。
【請求項４】
前記スペーサーは、端部を上方に折り曲げて形成した折り曲げ部を有し、
前記折り曲げ部を前記脚の側面に当接させた状態で前記平面部に取り付けられていることを特徴とする請求項１〜３のいずれかに記載の食器洗浄機。
【請求項５】
前記スペーサーは、樹脂製であることを特徴とする請求項１〜４のいずれかに記載の食器洗浄機。
【請求項６】
前記スペーサーは、厚さが０．５ｍｍ〜２ｍｍであることを特徴とする請求項１〜５のいずれかに記載の食器洗浄機。
【請求項７】
前記本体に設けられ、一端が家屋の給排水接続部に接続され、給排水の流路となる給排水ホースを備え、
前記給排水ホースは、前記本体の前面側に配置された脚が前記キャビネットよりも前側に出る位置まで前記本体を前記キャビネットの前方に引き出した状態においても前記給排水接続部との接続が保たれる長さを有することを特徴とする請求項１〜６のいずれかに記載の食器洗浄機。
【発明の詳細な説明】
【技術分野】
【０００１】
本発明は、食器洗浄機に関し、特にシステムキッチンのキャビネット内に設置して使用される食器洗浄機に関する。
【背景技術】
【０００２】
従来からシステムキッチンのキャビネット内に設置して使用されるビルトイン型の食器洗浄機においては、食器洗浄機の前面側に設けられた化粧面材と隣接するシステムキッチンの表面材の取り付け位置を合わせるように設置し、システムキッチンの意匠性を統一させることが行われてきた。
【０００３】
食器洗浄機の化粧面材の位置をシステムキッチンの表面材の位置に合わせるために、食器洗浄機本体の前面に前後方向に移動可能なボデーバンドを備えた食器洗浄機が提案されている（例えば、特許文献１）。このような食器洗浄機では、ボデーバンドを前後方向に移動させることで食器洗浄機本体を前後方向に移動させることができるので、食器洗浄機の化粧面材とシステムキッチンの表面材とで位置ずれが生じた場合にボデーバンドで食器洗浄機本体の設置位置を移動させ、食器洗浄機の化粧面材の表面とシステムキッチンの表面材の表面とが同一平面上になるように調整することができる。
【先行技術文献】
【特許文献】
【０００４】
【特許文献１】特開２０１３−１０３０５７号公報
【発明の概要】
【発明が解決しようとする課題】
【０００５】
しかし、特許文献１のような食器洗浄機では、前後方向の位置調整はできるものの、上下方向の位置ずれに対する位置調整はできない。例えば、食器洗浄機の化粧面材の上面の位置と隣接するシステムキッチンの表面材の上面の位置とがずれている場合、前後方向の位置調整ではこの位置ずれを解消することはできない。そのため、システムキッチン全体としての見栄えが悪くなるおそれがあった。
【０００６】
本発明は、上記のような課題を解決するためになされたもので、システムキッチンのキャビネット内に設置された食器洗浄機における隣接するシステムキッチンの表面材に対する上下方向の位置ずれを容易に解消することができ、見栄えの良い外観のシステムキッチンを構成できる食器洗浄機を提供することを目的としている。
【課題を解決するための手段】
【０００７】
本発明に係る食器洗浄機は、システムキッチンに設けられた、前面側が開口し、上方、下方および側方が囲まれた略箱型のキャビネット内に設置される食器洗浄機であって、食器を収容し洗浄する、前方に開口する本体と、上方に開口を有し、前方に引き出される洗浄槽の前面に取付けられた本体の開口を閉塞する前扉と、本体の底面に取り付けられ、本体を支える複数の脚と、複数の脚の内、本体の前面側に配置された前脚の底面には、食器洗浄機の設置面であるキャビネットの底板に対して略平行な平面部が形成され、食器洗浄機がシステムキッチンのキャビネット内に設置された状態において、平面部に着脱可能に取り付けられた、システムキッチンの収納部の表面材と、前扉との上下方向の位置ずれを解消するために本体の高さを調整する板状のスペーサーと、を備え、キャビネットの底板の前部に設けられた固定板金と、本体の底面に設けられた本体固定板金とが当接する位置までキャビネットの前面側開口から本体を挿入し、前脚の底面にスペーサーが取付けられた状態、かつ本体がキャビネットの底板の上面に載せられた状態で、当接した固定板金と本体固定板金とをネジで固定してキャビネットの底板に固定するものである。
【発明の効果】
【０００８】
本発明によれば、本体の前面側に配置された脚の底面に形成された平面部にスペーサーを着脱可能に取り付けることで、食器洗浄機の高さを調整することができ、食器洗浄機と隣接する収納部等の表面材との上下方向の位置ずれを解消することができる。また、本体の前面側に配置された脚で高さ調整ができるため、上方、下方および側方が囲まれたキャビネット内に設置された食器洗浄機をキャビネット内から完全に取り外すことなく容易に高さ調整の作業ができる。
【図面の簡単な説明】
【０００９】
【図１】本発明の実施の形態１に係る食器洗浄機がシステムキッチン内に設置された状態を示す図である。
【図２】本発明の実施の形態１に係る食器洗浄機がシステムキッチンのキャビネット内に設置された状態を示す断面図である。
【図３】本発明の実施の形態１に係る食器洗浄機が設置されるシステムキッチンのキャビネットを示す図である。
【図４】本発明の実施の形態１に係る食器洗浄機がシステムキッチンのキャビネット内に設置されるまでの状態を示す縦断面図であり、図４（ａ）は設置途中の状態、図４（ｂ）は設置された状態である。
【図５】本発明の実施の形態１に係る食器洗浄機の前脚を示す正面図、下面図、側面図および断面図であり、図５（ａ）はスペーサーを取り付けていない状態、図５（ｂ）はスペーサーを取り付けた状態である。
【図６】本発明の実施の形態１に係る食器洗浄機の前脚にスペーサーを取り付ける状態を示す縦断面図である。
【図７】本発明の実施の形態１に係る食器洗浄機の前脚に複数のスペーサーを取り付けた状態を示す正面図、下面図、側面図および断面図である。
【図８】本発明の実施の形態１に係る食器洗浄機の前脚に取り付けられるスペーサーの別形態を示す正面図、下面図、側面図および断面図である。
【図９】本発明の実施の形態１に係る食器洗浄機の前脚に取り付けられるスペーサーの別形態を示す正面図、下面図、側面図および断面図である。
【発明を実施するための形態】
【００１０】
以下、本発明の実施の形態を、図面に基づいて説明する。なお、各図において同一の構成には同一の符号を付している。また、以下に示す実施の形態によって本発明が限定されるものではない。さらに、以下に示す実施の形態は引き出し式の食器洗浄機で説明しているが、食器洗浄機の形態はこの形態に限定されるものではない。
【００１１】
実施の形態１．
図１は実施の形態１に係る食器洗浄機がシステムキッチン内に設置された状態を示す図である。図２は実施の形態１に係る食器洗浄機がシステムキッチンのキャビネット内に設置された状態を示す断面図である。図３は実施の形態１に係る食器洗浄機が設置されるシステムキッチンのキャビネットを示す図である。
【００１２】
図１に示すように、食器洗浄機１はシステムキッチンを構成するキッチンカウンタＫの下方に設けられたキャビネット内にビルトインされる。キッチンカウンタＫの下方には食器洗浄機１の他に引き出し式の収納部Ｌ１〜Ｌ５と、開き戸式の収納部Ｍと、ビルトインされたオーブンレンジＮが設けられている。
【００１３】
各収納部Ｌ１〜Ｌ５、Ｍは、表面材の素材や色調、図柄が統一されると共に、それぞれの表面材の前面が略同一平面上に配置されるように設置されている。これに合わせて、食器洗浄機１とオーブンレンジＮの前面は、収納部Ｌ１〜Ｌ５、Ｍの表面材の色調に合う色調に形成されている。また、食器洗浄機１とオーブンレンジＮは、その前面が収納部Ｌ１〜Ｌ５、Ｍの表面材の前面と略同一平面上になるように設置されている。なお、食器洗浄機１の前面とは、操作パネル２と化粧面材３を有する前扉４の前面であり、化粧面材３の前面が収納部Ｌ１〜Ｌ５、Ｍの表面材の前面と略同一平面上になるように設置されている。
【００１４】
図２に示すように、食器洗浄機１は、システムキッチンに設けられた食器洗浄機用のキャビネットである置き台２０（以降キャビネットと記載する場合もある）に設置される。置き台２０の下部には引き出し式の収納部Ｌ１が設けられている。食器洗浄機１は、前方に開口する略箱状に形成された本体５と、本体５内に配置され、上方に開口を有する略箱状に形成された洗浄槽６と、洗浄槽６の前面に取り付けられ、本体５の前方の開口を塞ぐ前扉４とを備える。
【００１５】
本体５の底面には、本体５を支える前脚７及び後脚８が設けられている。前脚７及び後脚８は、それぞれ２つずつ設けられており、２つの前脚７は本体５の前面側に配置され、２つの後脚８は本体５の後面側に配置されている。前脚７及び後脚８はネジ等によって本体５に固定されている。
【００１６】
本体５の後面には、給水、排水の流路となる外部給排水ホース９と、食器洗浄機１に電力を供給する電源コード１０が設けられている。外部給排水ホース９は一端が本体５の後面に接続し、他端が家屋の給排水接続部（例えば、水道配管、下水配管）に接続される。電源コード１０は一端が本体５の後面に接続し、他端が家屋の電源供給部（例えば、１００Ｖコンセント）に接続される。
【００１７】
本体５の内部には、外部給排水ホース９を通じて供給された水道水を洗浄槽６内に供給するための給水弁１１、内部給水ホース１２が設けられている。給水弁１１は本体５の後方の内側面に取り付けられている。内部給水ホース１２は一端が給水弁１１に接続し、他端が洗浄槽６の側面に接続している。なお、図２には示していないが、本体５の内部には、洗浄槽６内から外部給排水ホース９への排水を行う排水機構が設けられている。なお、本発明の実施の形態では、洗浄槽６への給水と洗浄槽６からの排水は外部給排水ホース９を通じて行うようにしているが、給水と排水の経路は独立しているものである。そのため、給水ホースと排水ホースはそれぞれ別体で設けてもよい。
【００１８】
洗浄槽６の内部には、食器類Ｐを収容する食器カゴ１３と洗浄槽６内に供給された水道水を噴射するノズル１４が設けられている。ノズル１４は洗浄槽６の底面に回転可能に取り付けられており、回転したノズル１４から水道水（洗剤を混入させた洗浄水又はすすぎ水）を上方に噴射させて、食器カゴ１３上に載置された食器類Ｐの洗浄又はすすぎを行う。
【００１９】
本体５の内側面には、前後方向に延在する第１のスライドレール１５が設けられている。第１のスライドレール１５は本体５の両側面に取り付けられている。また、洗浄槽６の外側面には、前後方向に延在する第２のスライドレール１６が設けられている。第２のスライドレール１６は洗浄槽６の両側面に取り付けられている。第１のスライドレール１５は第２のスライドレール１６を摺動自在に支持している。つまり、洗浄槽６は、第２スライドレール１６が第１のスライドレール１５上をスライドすることによって、前後方向に移動可能になっている。
【００２０】
前扉４は、洗浄槽６の幅と略同一寸法に形成された前板１７と、前板１７の前面に取り付けられた操作パネル２と、前板１７の前面に取り付けられた化粧面材３とを有する。操作パネル２は前板１７の上部に取り付けられ、ユーザーからの指示を受け付ける操作部と運転状況等を表示する表示部を有する。化粧面材３は上端を操作パネル２の下端に接するようにして取り付けられている。なお、図２には、操作パネル２の前面と化粧面材３の前面が略同一平面になっている前扉４を示しているが、操作パネル２が化粧面材３の前面よりも突出した前扉など、操作パネル２の前面と化粧面材３の前面が略同一平面上にない前扉でもよい。
【００２１】
前扉４には取っ手（図示せず）が設けられており、ユーザーが取っ手を掴み前扉４を手前に引くことで、洗浄槽６が本体５の前方の開口から本体５外に引き出される。そして、前方に引き出された洗浄槽６の上方開口より食器カゴ１３への食器類Ｐの収容作業が行われる。その後、ユーザーが前扉４を押し洗浄槽６を本体５内に押し込むことで、洗浄槽６が本体５内に収容される。洗浄槽６が本体５内に収容されると洗浄槽６の上方開口は内蓋１８によって密閉され、洗浄水又はすすぎ水が外部に飛散しないようになっている。
【００２２】
図３に示すように、食器洗浄機１が設置される置き台２０は、食器洗浄機１の設置面となる底板２０ａと、底板２０ａの両側に設けられ、底板２０ａに対して略垂直な側板２０ｂとを有する。置き台２０の後方には家屋の壁が設けられている。また、図３には図示していないが、置き台２０の上方には図１、２に示したキッチンカウンタＫが設けられている。つまり、食器洗浄機１は、前面側が開口し、上方、下方および側方が底板２０ａ、側板２０ｂ及びキッチンカウンタＫによって囲まれた略箱型のキャビネット内に設置される。
【００２３】
底板２０ａの後部には、食器洗浄機１の本体５の転倒を防止する板金製の転倒防止板金２１が設けられている。転倒防止板金２１は、ネジ等で底板２０ａに固定されている。転倒防止板金２１は、断面が略Ｕ字状に形成され、底板２０ａの上面と略平行の係止部２１ａを有する。この係止部２１ａで食器洗浄機１の本体５を係止することで、洗浄槽６が前方に引き出された際の本体５の転倒を防止している。
【００２４】
底板２０ａの前部には、食器洗浄機１の本体５と置き台２０とを固定するための板金製の前側固定板金２２が設けられている。前側固定板金２２は、ネジ等で底板２０ａに固定されている。前側固定板金２２は、側板２０ｂと直交する方向に延在し、両端部が底板２０ａと略直交するように略Ｌ字状に折り曲げられた形状をしている。その略Ｌ字状に折り曲げられた両端部には、後述する前側固定ネジ２３が挿入されるネジ孔２２ａが形成されている。前側固定板金２２を介して食器洗浄機１の本体５を置き台２０に固定することで、洗浄槽６が前方に引き出された際の食器洗浄機１の移動を防止している。なお、ネジ孔２２ａは、食器洗浄機１の高さ調整を行った際にも本体５を置き台２０に固定できるように、上下方向に長い長孔になっている。
【００２５】
次に、食器洗浄機１のシステムキッチンのキャビネット内への設置方法について説明する。図４は実施の形態１に係る食器洗浄機がシステムキッチンのキャビネット内に設置されるまでの状態を示す縦断面図であり、図４（ａ）は設置途中の状態、図４（ｂ）は設置された状態である。
【００２６】
図４（ａ）に示すように、まず、食器洗浄機１の後面に設けられた外部給排水ホース９と電源コード１０をキャビネット（置き台２０）の後方に設けられた家屋の給排水接続部、電源供給部にそれぞれ接続する。接続後、キャビネットの前面開口から食器洗浄機１をキャビネット内に挿入し、食器洗浄機１の後脚８を置き台２０の底板２０ａ上に載せる。そして、食器洗浄機１を置き台２０の後部に向けて押し込む。このとき、食器洗浄機１は、前脚７及び後脚８の底面が底板２０ａの上面を滑るようにして押し込まれる。
【００２７】
図４（ｂ）に示すように、食器洗浄機１は、本体５の底面に一体に固定された略Ｌ字状の本体固定板金１９が置き台２０の前側固定板金２２に当接する位置まで押し込まれる。また、この位置まで押し込むと、置き台２０の転倒防止板金２１が本体５の後面に当接し、転倒防止板金２１の係止部２１ａによって本体５が係止される。そして、この状態で、前側固定板金２２と本体固定板金１９を前側固定ネジ２３で固定することで、食器洗浄機１がキャビネット（置き台２０）に固定され、設置が完了する。なお、前側固定ネジ２３による固定は、食器洗浄機１の前扉４を前方に引き出した状態で行われる。
【００２８】
ここで、食器洗浄機１がシステムキッチンのキャビネット内に設置された状態において、食器洗浄機１の前扉４の位置と隣接する収納部等の表面材の位置とで、上下方向に位置ずれが発生する場合がある。例えば、前扉４の上面４ａと図１に示したオーブンレンジＮの上面とが略同一平面上にない場合や、前扉４の下面４ｂと図１に示した収納部Ｌ３の表面材の下面とが略同一平面上にない場合などである。上下方向の位置ずれは大きいときには２ｍｍ程度発生し、この位置ずれを解消するために食器洗浄機１の高さを微調整する。位置ずれを解消することでシステムキッチンの外観の見栄えが向上する。
【００２９】
本実施の形態の食器洗浄機１では、本体５に固定されている前脚７の底面に着脱可能に取り付けられるスペーサーによって、食器洗浄機１の高さを微調整することができる。以下、スペーサーによる食器洗浄機１の高さ調整方法について説明する。
【００３０】
図５は実施の形態１に係る食器洗浄機の前脚を示す正面図、下面図、側面図および断面図であり、図５（ａ）はスペーサーを取り付けていない状態、図５（ｂ）はスペーサーを取り付けた状態である。なお、図５（ａ）に示す断面図は、図５（ａ）の下面図に示すＡ−Ａ部、Ｂ−Ｂ部における断面図である。また、図５（ｂ）に示す断面図は、図５（ｂ）の下面図に示すＡ−Ａ部、Ｂ−Ｂ部における断面図である。さらに、食器洗浄機１には２つの前脚７が設けられているが、２つとも同一形状であり、それぞれの前脚７にスペーサーが取り付け可能となっている。
【００３１】
図５（ａ）に示すように、食器洗浄機１の前脚７は、底面（下面）に設置面（置き台２０の底板２０ａ）に対して略平行となる平面部７ａを有する形状に形成されている。また、前脚７の上面には、突起７ｂが設けられている。突起７ｂは、前脚７を本体５の底面へ取り付ける際に取り付け位置の位置決めを行うものであり、本体５の底面に形成された孔に挿入される。さらに、前脚７の底面には、前脚７と本体５を固定するためのネジが挿入される凹部７ｃが形成されている。凹部７ｃの上面には、凹部の幅よりも小さい径の貫通孔７ｄが形成されており、凹部７ｃに挿入されたネジは貫通孔７ｄを介して本体５に固定される。
【００３２】
図５（ｂ）に示すように、高さ調整用のスペーサー２４は、前脚７の底面に形成された平面部７ａに取り付けられる。スペーサー２４は樹脂製であり、厚さが約１ｍｍの板状に形成されている。また、スペーサー２４の上面には接着材料（例えば、接着テープ）が付いており、この接着材料によってスペーサー２４が前脚７の平面部７ａに取り付けられている。この接着材料は接着物同士の着脱が可能なものであり、スペーサー２４は平面部７ａに対して着脱可能に取り付けられている。このように、前脚７の底面に平面部７ａを形成することで、板状のスペーサー２４を前脚７の底面に確実に取り付けることができる。
【００３３】
なお、図５には、略直方体状の前脚７を示したが、底面に平面部７ａを有する形状であれば略直方体状以外の形状でもよい。また、前脚７に形成されている突起７ｂ、凹部７ｃ及び貫通孔７ｄの数又は形状は、前脚７の形状または固定方法に応じて適宜変更してもよい。
【００３４】
また、図５には、厚さが約１ｍｍのスペーサー２４を示したが、スペーサー２４の厚さは適宜変更してもよい。食器洗浄機１の前扉４と隣接する収納部等の表面材との上下方向の位置ずれは、大きいときには２ｍｍ程度発生することと、調整が必要な位置ずれが０．５ｍｍ以上であることから、スペーサー２４の厚さを０．５ｍｍ〜２ｍｍの範囲内に設定することが望ましい。
【００３５】
さらに、図５には、前脚７の底面に形成された凹部７ｃを覆う形状のスペーサー２４を示したが、凹部７ｃと対向する部分に開口を設けた形状のスペーサーでもよい。この場合、スペーサーを平面部７ａに取り付けた状態で前脚７を本体５から取り外すことが可能となるためメンテナンス性を向上させることができる。
【００３６】
図６は実施の形態１に係る食器洗浄機の前脚にスペーサーを取り付ける状態を示す縦断面図である。食器洗浄機１の高さを調整する場合、まず図４（ｂ）に示した前側固定ネジ２３を取り外し、食器洗浄機１の本体５と置き台２０との固定を解除する。その後、図６に示すように、食器洗浄機１の前脚７が置き台２０よりも前側に出る位置（例えば、設置状態から１００ｍｍ前方の位置）まで、本体５を前方側に引き出す。なお、家屋に接続された外部給排水ホース９と電源コード１０は、前脚７が置き台２０よりも前側に出る位置まで本体５を引き出した際にも、家屋との接続が保たれる長さを有している。そのため、外部給排水ホース９と電源コード１０を接続したまま食器洗浄機１の高さ調整を行うことが可能であり、容易に高さ調整作業を行うことができる。
【００３７】
本体５を前方側に引き出した後、前脚７の底面の平面部７ａに対して、下方側からスペーサー２４を取り付ける。スペーサー２４を取り付けた後は、本体５を元の設置位置まで押し込み、前側固定ネジ２３で本体５と置き台２０とを固定する。これにより、食器洗浄機１の高さがスペーサー２４の厚さ分高くなる。このように、食器洗浄機１をキャビネット内から完全に取り外すことなく、食器洗浄機１の高さ調整が可能である。また、設置時に接続した外部給排水ホース９と電源コード１０を取り外すことなく、高さ調整が可能である。
【００３８】
なお、スペーサー２４を取り付けた食器洗浄機１が元の設置位置まで押し込まれるときには、スペーサー２４の下面が底板２０ａの上面を滑りながら押し込まれる。スペーサー２４は設置面（底板２０ａ）に対して略平行となる平面部７ａに取り付けられているため、スペーサー２４の下面と底板２０ａの上面は略平行となっている。そのため、底板２０ａ上を滑るスペーサー２４に対して、スペーサーが剥がれる方向（例えば、下方向）の力は働きにくくなり、スペーサー２４の捲れや外れを抑制することができる。
【００３９】
また、スペーサー２４は樹脂製であり摺動性が優れているため、押し込み時の摩擦抵抗が抑えられ作業性がよい。なお、スペーサー２４の材質は樹脂以外でもよく、例えば摩擦抵抗が大きいゴム製のスペーサーの場合には、スペーサーの下面に摺動性を有する部材を取り付けたり、スペーサーの下面に表面処理を施して摺動性をもたせたりすることで、樹脂製のスペーサー２４と同様に作業性がよくなると共にスペーサーの捲れや外れを抑制することができる。
【００４０】
図７は実施の形態１に係る食器洗浄機の前脚に複数のスペーサーを取り付けた状態を示す正面図、下面図、側面図および断面図である。なお、断面図は、下面図に示すＡ−Ａ部、Ｂ−Ｂ部における断面図である。図７に示すように、食器洗浄機１の前脚７の底面の平面部７ａに複数のスペーサー２４を重ねて取り付けることができる。前脚７の平面部７ａに板状のスペーサー２４を取り付ける構成とすることで、複数のスペーサー２４を重ねた場合にもスペーサー２４の下面と設置面（底板２０ａ）の上面とは略平行の状態となるため、上述したようにスペーサー２４の捲れや外れを抑制することができる。また、複数のスペーサー２４を重ねて取り付けることで、より細かな高さ調整が可能となる。
【００４１】
なお、予め前脚７の底面の平面部７ａに一つ又は複数のスペーサー２４を取り付けてから、図４に示す食洗浄機１のキャビネット内への設置作業を行ってもよい。スペーサー２４は着脱可能に取り付けられているため、予めスペーサー２４を取り付けておくことで、設置後に食器洗浄機１の高さを低くする調整が可能となる。例えば、食器洗浄機１の前扉４の位置が隣接する収納部等の表面材の位置よりも高い場合、食器洗浄機１の前脚７が置き台２０よりも前側に出る位置まで食器洗浄機１を前方側に引き出し、予め前脚７に取り付けられたスペーサー２４を一つ又は複数取り外し、食器洗浄機１を元の設置位置に戻す。これにより、食器洗浄機１の高さが取り外したスペーサー２４の厚さ分低くなる。
【００４２】
以上のように、食器洗浄機１の前脚７の底面に設置面と略平行となる平面部７ａを設けることで、平面部７ａに板状のスペーサー２４を取り付けることが可能となる。そして、平面部７ａに着脱可能に取り付けられるスペーサー２４によって食器洗浄機１の高さを微調整することで、食器洗浄機１の前扉４と隣接する収納部等の表面材との上下方向の位置ずれを容易に解消することができる。また、食器洗浄機１の前脚７で高さ調整をすることができるため、キャビネット内に設置した食器洗浄機１をキャビネット内から完全に取り外すことなく作業ができ、作業性がよい。
【００４３】
なお、食器洗浄機１の前方側の高さのみを高くした場合、本体５は設置面に対して傾斜した状態となるが、スペーサー２４の厚さは本体５の奥行寸法（例えば、５００ｍｍ〜６００ｍｍ）に対して微小であるため、スペーサー２４を前脚７に取り付けたとしても本体５の傾きは微小であり、食器洗浄機１が正常に動作する範囲内の傾きである。
【００４４】
次に、食器洗浄機１の前脚７に取り付けられるスペーサー２４の別形態の一例を説明する。図８は実施の形態１に係る食器洗浄機の前脚に取り付けられるスペーサーの別形態を示す正面図、下面図、側面図および断面図である。なお、断面図は、下面図に示すＡ−Ａ部、Ｂ−Ｂ部における断面図である。また、図５と同じ構成には同一符号を付して説明を省略する。
【００４５】
図８に示すように、スペーサー２５は、ネジ２６によって前脚７に取り付けられる。前脚７の底面の平面部７ａには、ネジ孔７ｅが形成されている。スペーサー２５には、ネジ孔７ｅと対向する位置に厚さを薄くした凹部２５ａが形成されている。凹部２５ａには貫通孔が形成されており、ネジ２６はこの貫通孔を介してネジ孔７ｅにネジ留めされる。ネジ２６をネジ孔７ｅにネジ留めすることで、スペーサー２５が前脚７に固定される。なお、ネジ留めが完了すると、ネジ２６の頭はスペーサー２５の凹部２５ａ内に収容されるため、ネジ２６は設置面（底板２０ａ）には接触しない。
【００４６】
このように、ネジ２６による取り付けが可能なスペーサー２５とすることで、スペーサー２５の着脱を容易に行うことができる。また、ネジ２６でスペーサー２５と前脚７を固定することで、スペーサー２５の外れを防止することができる。
【００４７】
なお、複数のネジでスペーサー２５と前脚７を固定するようにしてもよい。また、図５〜７に示したスペーサー２４と同様に、スペーサー２５の上面に接着材料を設けてもよい。この場合、接着材料によってスペーサー２５を前脚７に取り付けた後、ネジ２６によってスペーサー２５を前脚７に固定する。さらに、ネジ２６で固定されたスペーサー２５の下面に、別のスペーサー（例えば、図５〜７に示したスペーサー２４、上面に接着材料を有するスペーサー２５）を取り付けて、食器洗浄機１の高さを調整してもよい。
【００４８】
図９は実施の形態１に係る食器洗浄機の前脚に取り付けられるスペーサーの別形態を示す正面図、下面図、側面図および断面図である。なお、断面図は、下面図に示すＡ−Ａ部、Ｂ−Ｂ部における断面図である。また、図５と同じ構成には同一符号を付して説明を省略する。
【００４９】
図９に示すように、スペーサー２７は、一端を前脚７の形状に沿って上方に折り曲げた形状をしている。スペーサー２７は、直方体状の前脚７の底面と側面に沿うように略Ｌ字状に折り曲げられている。スペーサー２７は、図５に示したスペーサー２４と同様に接着材料によって前脚７の底面の平面部７ａに着脱可能に取り付けられると共に、折り曲げ部２７ａが前脚７の後方側の側面に当接している。
【００５０】
上述したように、スペーサー２７を取り付けた食器洗浄機１が元の設置位置まで押し込まれるときには、スペーサー２７の下面が置き台２０の底板２０ａの上面を滑りながら押し込まれる。このとき、前脚７は後方側に進むようにして押し込まれる。つまり、スペーサー２７の折り曲げ部２７ａは、押し込み時に前脚７の移動方向側となる側面に当接している。スペーサー２７の折り曲げ部２７ａを前脚７の移動方向側となる側面に当接させることで、折り曲げ部２７ａが前脚７の側面に引っ掛かるようになるため、スペーサー２７の捲れや外れをより抑制することができる。また、例えば、底板２０ａの上面の一部に段差などの凸部がある場合、前脚７の移動方向側となる側面に折り曲げ部２７ａを設けることで、凸部を折り曲げ部２７ａに当てて凸部を乗り上げるようにして通過させることができるため、このような凸部によってスペーサー２７が捲れたり外れたりすることはない。
【００５１】
このように、スペーサー２７の端部を上方に折り曲げ、この折り曲げ部２７ａを前脚７の後方側の側面に当接させることで、スペーサー２７を取り付けた食器洗浄機１を元の設置位置まで押し込む際のスペーサー２７の捲れや外れをより抑制することができる。
【００５２】
なお、図９には、前脚７の後方側の側面に当接する折り曲げ部２７ａを有するスペーサー２７を示したが、前脚７の前方側の側面に当接する折り曲げ部をさらに有するスペーサーとしてもよい。この場合、スペーサーを取り付けて元の設置位置に設置した食器洗浄機１を再度前方に引き出す際にも、同様の効果が得られる。
【００５３】
また、折り曲げ部２７ａを有するスペーサー２７を図８に示したスペーサー２５と同様にネジ２６によって前脚７に固定するようにしてもよい。さらに、スペーサー２７の下面に、同様にＬ字状に折り曲げられたスペーサー２７を一つ又は複数取り付けて、食器洗浄機１の高さを調整してもよい。
【００５４】
なお、図５〜９には、前脚７の平面部７ａの全面に取り付けられたスペーサー２４、２５、２７を示したが、食器洗浄機１の高さ調整が可能であれば平面部７ａの一部に取り付けられる大きさのスペーサーでもよい。スペーサー２４、２５、２７の大きさを小さくすることで、スペーサー２４、２５、２７の材料費を抑えることができる。また、前脚７の前後方向の寸法に対して短いスペーサーを前脚７の後部側の平面部７ａのみに取り付けることで、食器洗浄機１の前方に立って操作するユーザーからスペーサーを見えにくくすることができる。
【符号の説明】
【００５５】
１  食器洗浄機、２  操作パネル、３  化粧面材、４  前扉、５  本体、６  洗浄槽、７  前脚、７ａ  平面部、８  後脚、９  外部給排水ホース、１０  電源コード、１１  給水弁、１２  内部給水ホース、１３  食器カゴ、１４  ノズル、１５  第１のスライドレール、１６  第２のスライドレール、１７  前板、１８  内蓋、１９  本体固定板金、２０  置き台、２１  転倒防止板金、２２  前側固定板金、２３  前側固定ネジ、２４  スペーサー、２５  スペーサー、２６  ネジ、２７  スペーサー、２７ａ  折り曲げ部。
【図１】
0006565180.tif 000002
【図２】
0006565180.tif 000003
【図３】
0006565180.tif 000004
【図４】
0006565180.tif 000005
【図５】
0006565180.tif 000006
【図６】
0006565180.tif 000007
【図７】
0006565180.tif 000008
【図８】
0006565180.tif 000009
【図９】
0006565180.tif 000010